(57)【要約】【課題】音響用開口部と通気用開口部とを一体化することで、省スペース化を図ると共に部品点数の削減及び組立工数を低減する携帯無線機を提供する。【解決手段】携帯無線機の前面側ケース４１にマイク／内気圧調整部４７を設ける。このマイク／内気圧調整部４７には、マイク用透孔４８ａ、４８ｂを所定の間隔で設けると共に、その周囲に通気孔４９ａ〜４９ｄを円状に設ける。前面側ケース４１には、マイク／内気圧調整部４７の背面側にマイク用透孔４８ａ、４８ｂ及び通気孔４９ａ〜４９ｄを含む大きさの凹部５０を形成し、この凹部５０に通気性を有する防水膜５１を両面テープ５２により貼付して音響用開口部と通気用開口部とを一体化して構成する。【選択図】      図２
2009033248.tif 000002
【特許請求の範囲】
【請求項１】
密閉構造の筐体を備えた携帯無線機において、
前記筐体内に設けられる音響部品と、前記筐体の前記音響部品に対応する位置に設けられる音響用開口部と、前記音響用開口部の周囲もしくは隣接して前記筐体に設けられる通気用開口部と、前記音響用開口部及び通気用開口部に共通に設けられる通気性を有する防水膜とを具備し、
前記音響用開口部と通気用開口部とを一体化して構成したことを特徴とする携帯無線機。
【発明の詳細な説明】
【技術分野】
【０００１】
本発明は、防水性と通気性を有する密閉筐体を備えた携帯無線機に関する。
【背景技術】
【０００２】
現在、例えば業務用無線等における携帯端末機は、多様な使用形態に適合させるため様々な耐環境性能が求められる。特に高い防水性能を備えた携帯端末機においては、その密閉度が災いして急激な温度変化による筐体内の気圧変化が生じ、筐体内に設けられている音響部品に悪影響を与える。携帯端末機の内部には、例えばスピーカに代表されるような振動板を有する音響部品や、マイクロフォン（以下、マイクという）に代表されるような音を受ける音響部品が存在し、筐体内の気圧の変化により性能が劣化してしまう。このため防水性能を備えた携帯端末機では、密閉構造の筐体の所要部分に通風孔を設け、この通風孔に防水金属を設けることにより、防水構造を維持しつつ、内圧と外圧との圧力調整を行うようにしたものが考えられている（例えば、特許文献１参照。）。
【０００３】
図５は従来の防水性と通気性を有する筐体を備えた携帯無線機の構成例を示したもので、（ａ）は全体の概略構成を示す側断面図、（ｂ）は同図（ａ）におけるＡ部の詳細を示す断面図、（ｃ）は同図（ａ）におけるＢ部の詳細を示す断面図である。
【０００４】
図５（ａ）において、１１は密閉構造を有する筐体で、前面側ケース１２と背面側ケース１３により構成され、上記前面側ケース１２と背面側ケース１３との接合部には全周に亘って防水用のシール部材１４が設けられる。
【０００５】
上記前面側ケース１２には、例えば前面上部に表示部１０が設けられると共に、その下方（Ａ部）にマイク部１５、キーパッド／マイクホルダ１６及びスピーカ部１７が設けられる。また、背面側ケース１３には、背面上部（Ｂ部）に内気圧調整部１８が設けられると共に、下部外側に電源部２０が設けられる。上記背面側ケース１３には、上記内気圧調整部１８の外側にケースカバー１９が設けられると共に、上部にアンテナ２１が設けられる。
【０００６】
上記Ａ部に設けられるマイク部１５は、図５（ｂ）に示すように構成される。前面側ケース１２には、マイク部１５にマイク用透孔２３が設けられ、その内側に通気性を有する防水膜２４が例えば両面テープによって貼付される。また、上記前面側ケース１２内には、防水膜２４に近接してマイク２５が配置される。このマイク２５は、マイク用透孔２３に対向して位置するようにキーパッド／マイクホルダ１６により保持される。このキーパッド／マイクホルダ１６の背面側には、キーパッドライトガイド２６、インタフェース基板２７及び高周波シールド部材２８が設けられる。
【０００７】
また、上記Ｂ部に設けられる内気圧調整部１８は、詳細を図５（ｃ）に示すように背面側ケース１３に通気孔２９が設けられ、この通気孔２９部分に通気性を有する防水膜３０が設けられる。
【０００８】
また、前面側ケース１２の下部に設けられるスピーカ部１７においても、スピーカ用孔３１の内側に通気性を有する防水膜３２が設けられる。
【０００９】
上記のように従来の密閉構造を有する携帯無線機は、筐体１１に設けられるマイク用透孔２３やスピーカ用孔３１等の音響用開口部及び気圧調整用の通気孔２９に対してそれぞれ通気性を有する防水膜を設けて筐体１１の防水性を保持し、かつ急激な温度変化を生じた場合においても筐体内気圧を一定に保持して音響部品の性能劣化を防止するように構成している。
【特許文献１】特開平１０−４４４５号公報
【発明の開示】
【発明が解決しようとする課題】
【００１０】
上記従来の密閉構造を有する携帯無線機は、防水性及び通気性を備えているが、マイク用透孔２３やスピーカ用孔３１等の音響用開口部と筐体内気圧を一定に保持するための通気孔２９を別個に設ける構造となっているので、いずれも開口部のためのスペースを必要とすると共に音響用開口部及び通気孔にそれぞれ防水膜を貼付する工数も発生する。また、防水膜によって密閉性を確保する個所が多岐に亘ることから、製品品質を保つための管理個所が増加し、品質保持が難しくなると共にコストが増加することになる。
【００１１】
本発明は上記の課題を解決するためになされたもので、音響用開口部と通気用開口部を一体化することで、省スペース化を可能とすると共に、部品の共有化により部品点数の削減及び組立工数の低減を図り、且つ密閉性の管理個所を削減して品質を向上し得る携帯無線機を提供することを目的とする。
【課題を解決するための手段】
【００１２】
本発明は、密閉構造の筐体を備えた携帯無線機において、前記筐体内に設けられる音響部品と、前記筐体の前記音響部品に対応する位置に設けられる音響用開口部と、前記音響用開口部の周囲もしくは隣接して前記筐体に設けられる通気用開口部と、前記音響用開口部及び通気用開口部に共通に設けられる通気性を有する防水膜とを具備し、前記音響用開口部と通気用開口部とを一体化して構成したことを特徴とする。
【発明の効果】
【００１３】
本発明によれば、密閉構造の筐体を備えた携帯無線機において、音響用開口部と通気用開口部とを一体化することで、省スペース化を実現できると共に防水膜の共用化を図ることができ、部品点数を削減して組立工数を低減でき、密閉性の管理個所を削減して品質の向上を図ることができる。
【発明を実施するための最良の形態】
【００１４】
以下、図面を参照して本発明の実施形態を説明する。
【００１５】
（第１実施形態）
図１は本発明の第１実施形態に係る携帯無線機の構成例を示し、（ａ）は前面側ケースの内面図、（ｂ）は同図（ａ）におけるＣ−Ｃ線断面図、（ｃ）は同図（ａ）の前面側ケースの正面図である。図２（ａ）〜（ｃ）は、上記図１（ａ）〜（ｃ）におけるＣ部（マイク／内気圧調整部）を拡大して示したもので、（ａ）はマイク／内気圧調整部の背面図、（ｂ）はマイク／内気圧調整部の側断面図、（ｃ）はマイク／内気圧調整部の正面図である。なお、図２（ａ）はマイク／内気圧調整部４７の内側に配置される部品（プリント基板５６、ホルダ５３、マイク５５）を除いた状態を示している。
【００１６】
図１において、４１は密閉構造を有する筐体４０の前面側ケースで、この前面側ケース４１の裏面には図示しないがゴムパッキン等のシール部材を介して背面側ケースが接合され、防水構造となっている。上記筐体４０は、例えば合成樹脂や金属などを用いて形成される。
【００１７】
上記前面側ケース４１には、例えば上部に表示部４２、中央部にキー操作部４３、下部にスピーカ部４４が設けられる。また、図示しないが、上記表示部４２には例えば液晶表示パネル等の表示パネルが配置され、キー操作部４３には内側にキーパッドが配置される。また、スピーカ部４４には、複数のスピーカ用孔４５が設けられ、このスピーカ用孔４５の内側に通気性を有する防水膜が装着されて、その内側にスピーカが配置される。また、上記前面側ケース４１の上部側方には、アンテナ部４６が設けられる。
【００１８】
そして、上記前面側ケース４１には、例えば表示部４２とキー操作部４３との間において、図２に詳細を示すようにマイク／内気圧調整部４７が設けられる。このマイク／内気圧調整部４７には、音響用開口部として例えば２つの長円状のマイク用透孔４８ａ、４８ｂが上下方向に所定の間隔で設けられると共に、その周囲に通気用開口部として例えば扇状に形成した４つの通気孔４９ａ〜４９ｄが円状に設けられる。
【００１９】
上記２つのマイク用透孔４８ａ、４８ｂは、ケース内側において例えば方形状の１つのマイク用透孔４８に連通している。また、上記マイク／内気圧調整部４７は、ケース内側に凹部５０を形成している。この凹部５０は、上記長円状のマイク用透孔４８ａ、４８ｂ及び通気孔４９ａ〜４９ｄを含む大きさで円状に形成され、その底部に通気性を有する円状の防水膜５１が例えば両面テープ５２によって貼付される。この場合、防水膜５１は、防水機能及び通気機能の障害とならないように、例えば図２（ａ）、（ｂ）に示すように周縁部に両面テープ５２を介在させて前面側ケース４１に貼付する。上記防水膜５１としては、例えば樹脂多孔質膜や撥水性を有する不織布などが用いられる。
【００２０】
そして、上記防水膜５１に接するようにホルダ５３が配置され、このホルダ５３により音響部品例えばマイク５５が保持される。上記ホルダ５３は、例えば有底円筒状に形成され、その底部に上記マイク用透孔４８に対応するように透孔５４が設けられる。上記マイク５５は、ホルダ５３により保持されて例えば前面側ケース４１の内側に所定間隔で設けられるプリント基板５６に実装され、上記マイク／内気圧調整部４７に配置される。上記ホルダ５３は、マイク５５を防水膜５１を介して前面側ケース４１に密着させることで音の出入り時の漏れを防ぎ、更に機械的外力からマイク５５を保護する。
【００２１】
上記プリント基板５６には、携帯無線機の電気回路が形成されると共にスルーホール５７ａ、５７ｂが設けられ、このスルーホール５７ａ、５７ｂを利用して上記マイク５５に対する配線が施される。
【００２２】
上記のように構成された携帯無線機において、外部からの音声は、図２に示すようにマイク／内気圧調整部４７に設けられた「マイク用透孔４８ａ、４８ｂ→マイク用透孔４８→防水膜５１→ホルダ５３の透孔５４」を通ってマイク５５に達し、電気信号に変換された後、マイク５５のリード線を介して電気回路（音声入力回路）へ送られる。このとき筐体４０の外部と筐体内に設けられたマイク５５との間は、防水膜５１によって防水性と通気性が保たれる。
【００２３】
また、筐体４０の内部と外部との間の通気は、マイク／内気圧調整部４７に設けられた通気孔４９ａ〜４９ｄを介して行われる。このとき筐体４０の内部と外部との間の通気性及び防水性は、マイク部と共通に設けられた防水膜５１によって保たれ、急激な温度変化に伴う筐体内の気圧変化が防止される。
【００２４】
上記実施形態で示したように前面側ケース４１において、マイク用透孔４８ａ、４８ｂの周囲に通気孔４９ａ〜４９ｄを設けると共に、通気性を有する防水膜５１を共通に設けてマイク／内気圧調整部４７を構成し、音響用開口部と通気用開口部を一体化することで、省スペース化を実現できると共に防水膜５１の共用化を図ることができ、部品点数を削減して組立工数を低減でき、コストを低減することができる。更に、音響用開口部と通気用開口部を一体化することで、密閉性の管理個所を削減し、品質の向上を図ることができる。
【００２５】
（第２実施形態）
次に本発明の第２実施形態に係る携帯無線機について説明する。
【００２６】
図３は、本発明の第２実施形態に係る携帯無線機の前面側ケースに設けられるマイク／内気圧調整部の構成を示す断面図である。
【００２７】
上記第１実施形態に係るマイク／内気圧調整部４７は、マイク５５をホルダ５３により保持するように構成したのに対し、この第２実施形態に係るマイク／内気圧調整部４７は、図３に示すように前面側ケース４１とプリント基板５６との間に配置されるキーパッド６１によってマイク５５を保持するように構成したものである。この場合、キーパッド６１には、例えば操作用のキーボタンにマイク保持機能を持たせてマイク５５を保持するように構成している。その他の構成は、第１実施形態と同様の構成であるので、同一部分には同一符号を付して詳細な説明は省略する。
【００２８】
上記第２実施形態で示したようにキーパッド６１にマイク５５の保持機能を持たせることにより、マイク保持用のホルダを独立して設ける必要がないので、更に部品点数を削減することができる。また、上記第２実施形態においても、第１実施形態と同様に音響用開口部と通気用開口部を一体化することで、省スペース化を実現できると共に部品点数を削減して組立工数を低減でき、密閉性の管理個所を削減して品質の向上を図ることができる。
【００２９】
（第３実施形態）
次に本発明の第３実施形態に係る携帯無線機について説明する。
【００３０】
図４は本発明の第３実施形態に係る携帯無線機の前面側ケースに設けられるマイク／内気圧調整部の構成を示し、（ａ）はマイク／内気圧調整部の背面図、（ｂ）はマイク／内気圧調整部の側断面図、（ｃ）はマイク／内気圧調整部の正面図である。なお、図４（ａ）はマイク／内気圧調整部４７の内側に配置される部品（プリント基板５６、ホルダ５３、マイク５５）を除いた状態を示している。
【００３１】
上記第１実施形態に係るマイク／内気圧調整部４７は、マイク用透孔４８ａ、４８ｂの外周部位に扇状に形成された４つの通気孔４９ａ〜４９ｄを円状に設けた構成としたのに対し、この第３実施形態に係るマイク／内気圧調整部４７は、図４に示すようにマイク用透孔４８ａ、４８ｂの下側に隣接して、例えばマイク用透孔４８ａ、４８ｂと同様に長円状に形成した２つの通気孔４９ａ、４９ｂを設けた構成としている。この場合、上記２つの通気孔４９ａ、４９ｂは、ケース内側において１つの通気孔４９に連通している。また、ケース内側に設けられる凹部５０は、上記マイク用透孔４８ａ、４８ｂ及び通気孔４９ａ、４９ｂを含むように縦長の長円状に形成され、その底部に長円状の防水膜５１が両面テープ５２により貼付される。この場合、防水膜５１は、防水機能及び通気機能の障害とならないように、例えば図４（ａ）、（ｂ）に示すように例えば周縁部及びマイク部と通気孔部との境界部分に両面テープ５２を介在させて前面側ケース４１に貼付する。その他の構成は、第１実施形態と同様の構成であるので、同一部分には同一符号を付して詳細な説明は省略する。
【００３２】
上記第３実施形態で示したようにマイク用透孔４８ａ、４８ｂに隣接して通気孔４９ａ、４９ｂを設けることにより、第１実施形態と同様に音響用開口部と通気用開口部を一体化することで、省スペース化を実現できると共に防水膜５１の共用化を図ることができ、部品点数を削減して組立工数を低減でき、密閉性の管理個所を削減して品質の向上を図ることができる。
【００３３】
なお、上記第３実施形態では、マイク用透孔４８ａ、４８ｂの下側に隣接して通気孔４９ａ、４９ｂを設けた場合について示したが、その他、例えばマイク用透孔４８ａ、４８ｂの上側や左右の側部に隣接して通気孔４９ａ、４９ｂを設けてもよい。
【００３４】
また、上記各実施形態では、マイク用開口部と通気用開口部とを一体化する場合について示したが、その他、例えばスピーカ部等の音響用開口部と通気用開口部を一体化する場合においても同様にして実施し得るものである。
【００３５】
また、本発明は、上記実施形態そのままに限定されるものではなく、実施段階ではその要旨を逸脱しない範囲で構成要素を変形して具体化できるものである。
【図面の簡単な説明】
【００３６】
【図１】本発明の第１実施形態に係る携帯無線機の構成例を示す図である。
【図２】同実施形態におけるマイク／内気圧調整部の詳細な構成を示す図である。
【図３】本発明の第２実施形態に係る携帯無線機のマイク／内気圧調整部の詳細な構成を示す断面図である。
【図４】本発明の第３実施形態に係る携帯無線機のマイク／内気圧調整部の詳細な構成を示す図である。
【図５】従来の防水性と通気性を有する筐体を備えた携帯無線機の構成例を示す図である。
【符号の説明】
【００３７】
４０…筐体、４１…前面側ケース、４２…表示部、４３…キー操作部、４４…スピーカ部、４５…スピーカ用孔、４６…アンテナ部、４７…マイク／内気圧調整部、４８、４８ａ、４８ｂ…マイク用透孔、４９、４９ａ〜４９ｄ…通気孔、５０…凹部、５１…防水膜、５２…両面テープ、５３…ホルダ、５４…透孔、５５…マイク（マイクロフォン）、５６…プリント基板、５７ａ、５７ｂ…スルーホール、６１…キーパッド。
【図１】
2009033248.tif 000003
【図２】
2009033248.tif 000004
【図３】
2009033248.tif 000005
【図４】
2009033248.tif 000006
【図５】
2009033248.tif 000007